(57)【要約】【課題】除塵機構を意図的に動作させることが容易であり、フィルタを掃除機本体から取り外した状態でも除塵機構を動作させることが可能な電気掃除機を提供する。【解決手段】掃除機本体に、除塵装置７１を有する枠体に保持された、着脱可能なフィルタ５１を設ける。除塵装置７１は、枠体５５の上面から上方向に突出した上下動する操作部７２と、操作部７２の動きに連動して上下動し、略水平方向に延びる溝７５を有する上下動部材７４と、溝７５内に突出し、溝７５内を移動する軸８２が設けられた、フィルタ５１に沿って回動する回動部材８１と、回動部材８１からフィルタ５１に向かって突出し、フィルタ５１を弾く突起８５とを有している。【選択図】図３
2008093337.tif 000002
【特許請求の範囲】
【請求項１】
吸引風を生成するための送風機と、
前記送風機により吸引された塵埃を収容する集塵容器と、
前記集塵容器からの排気に含まれる塵埃を除去する、前記除塵装置を有する枠体に保持された掃除機本体から着脱可能なフィルタとを備え、
前記除塵装置は、
前記枠体の上面から上方向に突出した上下動する操作部と、
前記操作部の動きに連動して上下動し、略水平方向に延びる溝を有する上下動部材と、
前記溝内に突出し、溝内を移動する軸が設けられた、前記フィルタに沿って回動する回動部材と、
前記回動部材からフィルタに向かって突出し、前記フィルタを弾く突起とを有する、電気掃除機。
【請求項２】
前記フィルタは、上下方向に延びる複数のプリーツを有する、請求項１に記載の電気掃除機。
【請求項３】
前記上下動部材には通気孔が設けられている、請求項１または２に記載の電気掃除機。
【請求項４】
前記操作部は、バネにより上方に付勢されていると共に、前記集塵容器を電気掃除機本体から取り出すための蓋の下面に当接しており、前記蓋の開閉動作に連動して上下動する、請求項１から３のいずれかに記載の電気掃除機。
【請求項５】
電気掃除機本体には、該電気掃除機本体を運搬するための、回動するハンドルが設けられており、
前記操作部は、バネにより上方に付勢されていると共に、前記ハンドルを回動させる動作に連動して上下動する、請求項１から３のいずれかに記載の電気掃除機。
【発明の詳細な説明】
【技術分野】
【０００１】
この発明は、電気掃除機に関する。
【背景技術】
【０００２】
従来の電気掃除機において掃除作業を行なうと、塵埃を含んだ空気流がホースを経由して掃除機本体に流入する。流入した塵埃は、掃除機本体の集塵容器に貯められる。
【０００３】
図１３は、掃除機本体の内部構造の一例を示す模式図である。図１３では、高速で旋回する気流により塵埃を分離する、サイクロン分離方式を採用した掃除機本体を示している。図１３に示すように、ホース１０３を経由して、掃除機本体１０２に流入した空気流１１１はサイクロン分離部１０４に導かれる。
【０００４】
空気流１１１は、サイクロン分離部１０４において旋回する空気流１１２となり、旋回する空気流１１２の遠心力によって塵埃１５１を分離する。分離された塵埃１５１は、下方にある集塵ケース１０５に捕捉される。塵埃１５１を分離した後の空気流は、サイクロン分離部１０４から出て、空気流１１３，１１４としてフィルタ部１０６を通過する。
【０００５】
フィルタ部１０６には、サイクロン分離部１０４で捕集し切れなかった塵埃が上流側の表面に付着する。フィルタ部１０６に多量の塵埃が付着すると、フィルタ部１０６を通過する空気流への抵抗が増加し、風量が低下する。そのため、フィルタ部１０６に付着した塵埃は、定期的に除去する必要がある。
【０００６】
このようなフィルタ部１０６に付着した塵埃を除去する機構を備えた電気掃除機を開示したものとして、特許文献１（特開２００５−１７７２８９号公報）がある。特許文献１は、フィルタの表面に沿って回転する除塵機構を開示している。この除塵装置は、電気掃除機の電源コードを巻き取る、巻き取り機構に連動して動作する。
【０００７】
電気掃除機のフィルタ部にこのような除塵機構が設けることにより、ユーザーは電源コードを巻き取るときに、手を汚さずにフィルタを清掃することができる。
【特許文献１】特開２００５−１７７２８９号公報
【発明の開示】
【発明が解決しようとする課題】
【０００８】
上記従来の電気掃除機に設けられた除塵機構は、電源コードの巻き取り動作にのみ連動して動作するため、除塵機構を意図的に動作させるためには電源コードの取出し、巻き取りを繰り返す必要があり、その操作が煩雑である。また、除塵機構は掃除機本体に取り付けられているため、フィルタを掃除機本体から取り外した状態では、除塵機構を用いてフィルタを清掃することができない。
【０００９】
この発明は、上記課題を解決するためになされたものであり、除塵機構を意図的に動作させることが容易であり、フィルタを掃除機本体から取り外した状態でも除塵機構を動作させることが可能な電気掃除機を提供することを目的とする。
【課題を解決するための手段】
【００１０】
この発明に基づいた電気掃除機に従えば、吸引風を生成するための送風機と、上記送風機により吸引された塵埃を収容する集塵容器と、上記集塵容器からの排気に含まれる塵埃を除去する、除塵装置を有する枠体に保持された掃除機本体から着脱可能なフィルタとを備えている。上記除塵装置は、上記枠体の上面から上方向に突出した上下動する操作部と、上記操作部の動きに連動して上下動し、略水平方向に延びる溝を有する上下動部材と、上記溝内に突出し、溝内を移動する軸が設けられた、上記フィルタに沿って回動する回動部材と、上記回動部材からフィルタに向かって突出し、上記フィルタを弾く突起とを有している。
【発明の効果】
【００１１】
本発明に係る電気掃除機によると、除塵機構を意図的に動作させることが容易であり、フィルタを掃除機本体から取り外した状態でも除塵機構を動作させることができる。
【発明を実施するための最良の形態】
【００１２】
以下、本発明に係る実施の形態について、図１から図１２を参照して説明する。図１は、本実施の形態における電気掃除機の全体構造の一例を示す斜視図である。
【００１３】
図１に示す電気掃除機１は、サイクロン分離方式を用いた電気掃除機であり、掃除機本体２とホース３とを備えている。掃除機本体２には開閉可能な本体上蓋２ａが設けられている。図１では本体上蓋２ａが閉まった状態を示している。ここでは、サイクロン分離方式を用いた掃除機について説明するが、本発明は、サイクロン分離方式を用いない掃除機にも適用することができる。
【００１４】
図２は、本実施の形態の電気掃除機本体の内部構造を示す断面図である。図２に示すように、電気掃除機１は、掃除機本体２の内部に、吸引風を生成するための送風機７と、吸引風に含まれる塵埃を捕集するためのサイクロン分離部４と、吸引風に関する下流側において吸引風中に含まれる塵埃を捕集するためのフィルタ５１が設けられたフィルタユニット５０とを備えている。
【００１５】
図２における矢印は吸引風の流れを示している。サイクロン分離部４はホース３から吸引風を受け入れるための流入口１７を有する。フィルタユニット５０の内部には枠体に保持されたフィルタ５１が配置されている。吸引風によりサイクロン分離部４に運ばれた塵埃は、サイクロン分離部４内で旋回し、その遠心力により分離されて、サイクロン分離部の底に堆積する。サイクロン分離部４は、集塵容器として機能し、掃除機本体２から取外し可能に構成されている。
【００１６】
サイクロン分離部４で分離し切れなかった微細な塵埃などは、サイクロン分離部から吸引風に運ばれてフィルタ５１に到達し、フィルタ５１によりろ過される。これによりフィルタ５１より下流側に塵埃が排出されることを防止している。
【００１７】
フィルタ５１でろ過された塵埃の一部は、下方に落下するが、一部はフィルタ５１の上流側表面に付着する。長期間に亙って塵埃が付着しつづけ、フィルタ５１の通気抵抗が低下するのを防止するため、本実施の形態の電気掃除機においては、フィルタ５１の下流側表面に除塵機構７１が設けられている。このフィルタ５１および除塵機構７１を有するフィルタユニット５０は、掃除機本体２から取り外すことができる。なお、この除塵機構７１は、フィルタ５１の上流側表面に設けても良い。
【００１８】
図３は、掃除機本体から取り外した状態のフィルタユニットの構造を示す正面図、図４は、フィルタユニットの縦断面構造を示す図３におけるIV−IV矢視断面図、図５は、フィルタユニットの一部の部材を取り外した状態を示す正面図である。これらの図に示すように、本実施の形態のフィルタユニット５０は、樹脂などで構成された外周枠体５５と、その内部に配置されたフィルタ５１と、フィルタ５１の下流側表面に面して位置し、外周枠体５５に固定された除塵機構７１とを有している。
【００１９】
除塵機構７１は、外周枠体５５の上面から上方向に突出した上下動する操作部７２と、操作部７２の動きに連動して上下動し、略水平方向に延びる溝７５を有する上下動部材７４と、溝７５内に突出し、溝７５内を移動する軸８２が設けられた、フィルタ５１に沿って回動する回動部材８１とを有している。
【００２０】
回動部材８１は、外周枠体５５の内部に上下方向に延びる連結部材９１に回動自在に軸着されている。具体的には、回動部材８１のボス部８３が連結部材９１の上下方向略中央の平板部９２に軸８４により連結されている。連結部材９１には、流路抵抗を低減するため縦方向に並ぶ複数の通気孔９３が設けられている。
【００２１】
連結部材９１は、回動部材８１を回動自在に、フィルタ５１に面して保持するものであるので、上下方向に延びるもの以外に、外周枠体５５の内部に横方向に延びるものであってもよい。
【００２２】
連結部材９１のフィルタ５１側に位置して、上下動部材７４が設けられている。上下動部材７４は、連結部材９１を取り外した状態を示す図５に、より明確に示されている。上下動部材７４は、正面視略Ｌ型に構成されており、その垂直部分には流路抵抗を低減するため複数の通気孔７６が設けられている。上下動部材７４の水平部分には水平方向に延びる溝７５が設けられている。溝７５の内部には、回動部材８１から突出する軸８２が位置している。軸８２は、溝７５にガイドされて溝７５の内部をスライド移動することができる。
【００２３】
上下動部材７４の上端部には、縦方向に延びるシャフト７８の下端が接続されている。シャフト７８は、外周枠体５５を貫通している。シャフト７８の上端は、操作部７２に接続されている。
【００２４】
操作部７２は下面が開放した箱型に構成されている。操作部７２の内部には、操作部７２を上方向に付勢するバネ７９が設けられている。バネ７９の上端は、操作部７２の内部の天井面に当接し、下端は外周枠体５５の上面に当接している。バネ７９の付勢力に抗して操作部７２を上下動させることにより、シャフト７８により連結された上下動部材７４を上下動させることができる。
【００２５】
上下動部材７４のフィルタ５１側には、回動部材８１が設けられている。回動部材８１は、正面視扇形に構成され、そのボス部８３には軸８４が設けられている。回動部材８１は、軸８４により連結部材９１に軸着されている。
【００２６】
回動部材８１のフィルタ５１側には、複数の突起８５が設けられている。回動部材８１の大部分は通気孔８６とされ、回動部材８１は、必要最小限の骨格のみにより構成されている。すなわち、外周および中間部に設けられた円弧状の部材と、それを半径方向に接続する直線状の部材と、その回動中心に位置するボス部８３とで構成されている。
【００２７】
突起８５は、円弧状の部材と直線状の部材の交点に設けられ、断面半球状とされている。突起８５の先端は、フィルタ５１に設けられたプリーツの頂点に接触する。本実施の形態では、回動部材８１を扇型としたが、たとえば円形に構成しても良い。また、突起８５の数は、プリーツの細かさや、フィルタの種類などに応じて種々変更しうる。
【００２８】
図６は、フィルタの構造を示す斜視図、図７は、図６におけるVII−VII矢視断面図、図８は、除塵機構を取り外したフィルタユニットの斜視図である。図６および図７に模式的に示すように、本実施の形態のフィルタ５１は、表面積を増加させるため、フィルタを構成するシートをジグザグに折り曲げて形成した多数のプリーツを有している。図８に示すようにこのプリーツが上下方向に延びるように、外周枠体５５の内部に配置される。
【００２９】
図９は、除塵機構の動作を示す正面図である。操作部７２を押し下げると、これに連動して上下動部材７４が下方向に移動する。このとき、溝７５に案内されて軸８２が水平方向に移動する。これにより、軸８２と共に回動部材８１が回動する。このとき、各突起８５がフィルタ５１に設けられたプリーツの先端を弾き、これによりフィルタ５１が振動して、フィルタ５１に付着した塵埃が除去される。
【００３０】
このときフィルタ５１のプリーツが上下方向に延びるように構成されているので、プリーツに付着した塵埃をスムーズに下方に落下させることができる。その結果、効果的にフィルタ５１の除塵を行なうことができる。
【００３１】
図１０は、本体上蓋によりフィルタユニットの除塵機構を動作させる構造を示す、掃除機本体の縦断面図である。本体上蓋２ａは、後端部を中心軸として回動し、上方向に開放することができる。本体上蓋２ａの先端部には、掃除機本体に設けられたけ係止具５と係合する被係合部２ｂが設けられている。また、本体上蓋２ａの下面には、操作部７２の上面と当接する当接部２ｃが設けられている。
【００３２】
本体上蓋２ａを開閉すると、当接部２ｃに当接した操作部７２が上下動し、これにより、フィルタ５１に付着した塵埃を除去することができる。このときフィルタ５１は、掃除機本体２の内部に位置しており、掃除機本体２の内部に落下する。したがって、フィルタ５１に付着していた塵埃が外部に散乱することはない。
【００３３】
また、フィルタユニット５０の上面に操作部７２が設けられているので、本体上蓋２ａを開放することで操作部７２が露出する。除塵機構７１を意図的に動作させたい場合には、本体上蓋２ａを開放して、ユーザーが操作部７２を繰り返し押し下げるようにしても良い。この場合でも、フィルタ５１は、掃除機本体２の内部に位置しているので、塵埃が外部に散乱することは無い。
【００３４】
図１１および図１２は、ハンドルによりフィルタユニットの除塵機構を動作させる構造を示す、掃除機本体の縦断面図である。図１１および図１２に示すように、掃除機本体２の上面には、ハンドル８が設けられている。ハンドル８は、軸８ａを中心に回動する。ユーザーがハンドル８を使用する時には、ハンドル８を持ち上げることにより把持可能となる。ハンドル８は軸８ａを挟んで反対方向に延びる接触片８ｂを有しており、その先端は操作部７２の側面に設けられた突起７２ａの上面に接触している。
【００３５】
これによりハンドル８を把持するために持ち上げる動きに連動して操作部７２が上下動し、その都度、除塵機構７１を作動させることができる。ハンドル８の接触部８ｂの先端で操作部７２の上面を直接押圧するようにしてもよい。
【００３６】
また、図１１および図１２に示す掃除機本体２においては、その上面から操作部７２の上端が露出している。この露出した操作部７２をユーザーが手で押下することで、除塵機構７１を作動させることもできる。
【００３７】
本実施の形態のフィルタユニット５０は、掃除機本体２から取り外すことができる。除塵機構７１は、フィルタユニット５０に設けられているので、フィルタユニット５０を掃除機本体２から取り外した状態でも、除塵機構７１を作動させることが可能である。これによりフィルタ５１の汚れ具合を目視により確認しながら、フィルタ５１の除塵を行なうことができる。
【００３８】
なお、今回開示した上記実施の形態はすべての点で例示であって、限定的な解釈の根拠となるものではない。したがって、本発明の技術的範囲は、上記した実施の形態のみによって解釈されるのではなく、特許請求の範囲の記載に基づいて画定される。また、特許請求の範囲と均等の意味および範囲内でのすべての変更が含まれる。
【図面の簡単な説明】
【００３９】
【図１】この発明に基づいた実施の形態における電気掃除機の全体構造の一例を示す斜視図である。
【図２】この発明に基づいた実施の形態における電気掃除機本体の内部構造を示す断面図である。
【図３】この発明に基づいた実施の形態における掃除機本体から取り外した状態のフィルタユニットの構造を示す正面図である。
【図４】この発明に基づいた実施の形態におけるフィルタユニットの縦断面構造を示し、図３におけるIV−IV矢視断面図である。
【図５】この発明に基づいた実施の形態におけるフィルタユニットの一部の部材を取り外した状態を示す正面図である。
【図６】この発明に基づいた実施の形態におけるフィルタの構造を示す斜視図である。
【図７】この発明に基づいた実施の形態におけるフィルタの構造を示し、図６におけるVII−VII矢視断面図である。
【図８】この発明に基づいた実施の形態における除塵機構を取り外したフィルタユニットの斜視図である。
【図９】この発明に基づいた実施の形態における除塵機構の動作を示す正面図である。
【図１０】この発明に基づいた実施の形態における本体上蓋によりフィルタユニットの除塵機構を作動させる構造を示す、掃除機本体の縦断面図である。
【図１１】この発明に基づいた実施の形態におけるハンドルによりフィルタユニットの除塵機構を作動させる構造を示す、掃除機本体の縦断面図である。
【図１２】この発明に基づいた実施の形態におけるハンドルによりフィルタユニットの除塵機構を作動させる構造を示す、掃除機本体の縦断面図である。
【図１３】掃除機本体の内部構造の一例を示す模式図である。
【符号の説明】
【００４０】
１  電気掃除機、２  掃除機本体、２ａ  本体上蓋、２ｂ  被係合部、２ｃ  当接部、３  ホース、４  サイクロン分離部、５  係止具、７  送風機、８  ハンドル、８ａ  軸、８ｂ  接触片、１７  流入口、５０  フィルタユニット、５１  フィルタ、５５  外周枠体、７１  除塵機構、７２  操作部、７２ａ  突起、７４  上下動部材、７５  溝、７６  通気孔、７８  シャフト、７９  バネ、８１  回動部材、８２  軸、８３  ボス部、８４  軸、８５  突起、８６  通気孔、９１  連結部材、９２  平板部、９３  通気孔。
【図１】
2008093337.tif 000003
【図２】
2008093337.tif 000004
【図３】
2008093337.tif 000005
【図４】
2008093337.tif 000006
【図５】
2008093337.tif 000007
【図６】
2008093337.tif 000008
【図７】
2008093337.tif 000009
【図８】
2008093337.tif 000010
【図９】
2008093337.tif 000011
【図１０】
2008093337.tif 000012
【図１１】
2008093337.tif 000013
【図１２】
2008093337.tif 000014
【図１３】
2008093337.tif 000015